(57)【要約】【課題】太陽光発電システムは、雲や建物の影の移動によって時々刻々と変わる日射のバラツキに対応して発電電力が変化する。【解決手段】太陽光発電システムの構成管理装置は、予め決められた一定周期毎に計測された電圧・電流及び温度のデータを収集し、太陽電池基本式に基づいて計測兼構成切替装置毎の開放電圧、短絡電流から日射強度を推定する。また、計測兼構成切替装置毎の現在の直並列組合わせを記録し、可能な直並列組合わせ毎に発電電力を推定して発電電力を最大にする組合わせを計算し、計算された組合わせが予め記録された直並列組合わせよりも良いときに新しく最大発電組合わせとして直並列組合わせを決定する。決定された組合せと予め記録された現在の直並列組合わせとを比較し、組合わせ構成を変更すると判断したとき計測兼構成切替装置に直並列再構成指示を出力する。【選択図】  図１
2015012116.tif 000002
【特許請求の範囲】
【請求項１】
複数の太陽電池セルからなる太陽光発電モジュールを複数設け、各
太陽光発電モジュールにそれぞれ計測兼構成切替装置を接続し、各計測兼構成切替装置によって計測された電圧・電流及び温度を構成管理装置に入力し、構成管理装置で太陽光発電モジュールの直並列組合わせ構成を算出し、算出された直並列組合わせに基づいて計測兼構成切替装置に対して直並列接続指令を出力して太陽光発電モジュールの直並列に組合わせ構成を変更し、直並列に組合わされた太陽光発電モジュールの出力をパワーコンディショナに入力するよう構成された太陽光発電システムの直並列組合わせ決定方法において、
前記構成管理装置は、予め決められた一定周期毎に計測された電圧・電流及び温度のデータを収集するステップと、
収集されたデータと太陽電池基本式に基づいて前記計測兼構成切替装置毎の開放電圧、短絡電流から日射強度を推定するステップと、
計測兼構成切替装置毎に予め現在の直並列組合わせを記録し、可能な直並列組合わせ毎に発電電力推定して発電電力を最大にする組合わせを計算し、求められた組合わせが予め記録された直並列組合わせよりも良いときに新しく最大発電組合わせとして直並列組合わせを決定するステップと、
前記予め記録された現在の直並列組合わせと、前記新しく決定された最大発電組合わせを比較し、太陽光発電モジュールの直並列組合わせ構成を変更すると判断したとき計測兼構成切替装置に直並列再構成指示を出力するステップ、
で直並列組合わせを決定することを特徴とした太陽光発電システムの直並列組合わせ決定方法。
【請求項２】
前記直並列再構成指示を出力するステップは、前記パワーコンディショナに対する発電一時停止命令出力後、全計測兼構成切替装置の直並列再構成が終了したか否かを判断し、直並列再構成終了時にパワーコンディショナに対して発電再開指令を出力することを特徴とした請求項１記載の太陽光発電システムの直並列組合わせ決定方法。
【請求項３】
直並列組合わせを決定するステップにおける発電電力推定は、太陽光発電モジュールの短絡電流の並列合計の最小値計算で行うことを特徴とした請求項１又は２記載の太陽光発電システムの直並列組合わせ決定方法。
【請求項４】
前記パワーコンディショナにＭＰＰＴ制御機能を持たせ、前記構成管理装置が有する最大電力点情報をパワーコンディショナに送出し、パワーコンディショナで最大電力点近傍での局所最大点探索を行うことでＭＰＰＴ制御を実行することを特徴とした請求項１乃至３記載の太陽光発電システムの直並列組合わせ決定方法。
【請求項５】
前記計測される温度は、太陽光発電モジュールの任意数の温度情報であることを特徴とした請求項１乃至４記載の太陽光発電システムの直並列組合わせ決定方法。
【発明の詳細な説明】
【技術分野】
【０００１】
本発明は、太陽光発電モジュールの直並列組合わせ決定法に係わり、特に雲や建物の影による太陽光発電モジュール毎にバラツキのある日射に対して太陽光発電モジュールの直並列の組合わせを切替える方法に関するものである。
【背景技術】
【０００２】
通常の太陽光発電システムは、太陽電池セルを１つ以上搭載した太陽光発電モジュールを幾つか直列に並べてＰＣＳ（Power Conversion System）の入力電圧に適合するようにしたもの（ストリングと呼ばれる）を、ＰＣＳ容量に合わせて並列に接続して構成される。しかし、このような固定的な太陽光発電モジュール構成では日射の弱いときに、ＰＣＳへの入力電圧が足りなくなる等の問題が発生する。
【０００３】
このような問題に対して特許文献１では、太陽光発電モジュール毎に発電電力等のモニタリング行うと共に、直並列切替えによる再構成を可能にしたデバイス及び再構成ロジックを提案している。また、太陽光発電モジュールの電圧・電流から日射強度を推定することは特許文献２や特許文献３などで提案されている。
【先行技術文献】
【特許文献】
【０００４】
【特許文献１】特表２０１２−５１６５６８
【特許文献２】特開２００６−３２６１２
【特許文献３】特開２００６−１４６６３４
【発明の概要】
【発明が解決しようとする課題】
【０００５】
特許文献１には、太陽光発電モジュールの直並列切替えに関する記載はあるが、具体的に記載されているパターンは１２モジュールの例で、１２×１，６×２，４×３，３×４，２×６，１×１２のように、各並列部分での並列数が一定のパターンの中で目的に最適なものを選ぶというものである。また、目的としての具体事例として、
（１）出力電圧をインバータ入力範囲内にする。
（２）発電と負荷のインピーダンスを近づける。
（３）出力電力を最大電力に近づける。
が挙げられ、直並列の組合わせ毎に予め出力電圧をテーブル化しておく方法である。
【０００６】
しかし、このような方法は、均一な日射が期待できる砂漠等で朝夕の低日射時に電圧を確保するために切替えるような運用、或いは負荷変動に合わせた発電量を制御するような運用については有効と考えられるが、雲や建物の影の移動によって時々刻々と変わる日射のバラツキに対して発電電力を最大化する運用に対しては不十分となっている。
【０００７】
本発明が目的とするとこは、雲や建物の影による太陽光発電モジュール毎にバラツキのある日射に対しての太陽光発電モジュールの直並列の組合わせ方法を提供することにある。
【課題を解決するための手段】
【０００８】
本発明は、複数の太陽電池セルからなる太陽光発電モジュールを複数設け、各
太陽光発電モジュールにそれぞれ計測兼構成切替装置を接続し、各計測兼構成切替装置によって計測された電圧・電流及び温度を構成管理装置に入力し、構成管理装置で太陽光発電モジュールの直並列組合わせ構成を算出し、算出された直並列組合わせに基づいて計測兼構成切替装置に対して直並列接続指令を出力して太陽光発電モジュールの直並列に組合わせ構成を変更し、直並列に組合わされた太陽光発電モジュールの出力をパワーコンディショナに入力するよう構成された太陽光発電システムの直並列組合わせ決定方法において、
前記構成管理装置は、予め決められた一定周期毎に計測された電圧・電流及び温度のデータを収集するステップと、
収集されたデータと太陽電池基本式に基づいて前記計測兼構成切替装置毎の開放電圧、短絡電流から日射強度を推定するステップと、
計測兼構成切替装置毎に予め現在の直並列組合わせを記録し、可能な直並列組合わせ毎に発電電力推定して発電電力を最大にする組合わせを計算し、求められた組合わせが予め記録された直並列組合わせよりも良いときに新しく最大発電組合わせとして直並列組合わせを決定するステップと、
前記予め記録された現在の直並列組合わせと、前記新しく決定された最大発電組合わせを比較し、太陽光発電モジュールの直並列組合わせ構成を変更すると判断したとき計測兼構成切替装置に直並列再構成指示を出力するステップ、
で直並列組合わせを決定することを特徴としたものである。
【０００９】
本発明における直並列再構成指示を出力するステップは、前記パワーコンディショナに対する発電一時停止命令出力後、全計測兼構成切替装置の直並列再構成が終了したか否かを判断し、直並列再構成終了時にパワーコンディショナに対して発電再開指令を出力することを特徴としたものである。
【００１０】
本発明における直並列組合わせを決定するステップにおける発電電力推定は、太陽光発電モジュールの短絡電流の並列合計の最小値計算で行うことを特徴としたものである。
【００１１】
本発明は、前記パワーコンディショナにＭＰＰＴ制御機能を持たせ、前記構成管理装置が有する最大電力点情報をパワーコンディショナに送出し、パワーコンディショナで最大電力点近傍での局所最大点探索を行うことでＭＰＰＴ制御を実行することを特徴としたものである。
【００１２】
本発明は、前記計測される温度は、太陽光発電モジュールの任意数の温度情報であることを特徴としたものである。
【発明の効果】
【００１３】
以上のとおり、本発明によれば、雲や建物の影により太陽光発電モジュールに当たる日射のバラツキが生じても、発電電力の最大化が可能となるものである。
【図面の簡単な説明】
【００１４】
【図１】本発明の実施形態を示す太陽光発電システムの構成図。
【図２】直並列再構成のフローチャート。
【図３】データ収集のフローチャート。
【図４】日射強度推定のフローチャート。
【図５】直並列組合わせ決定のフローチャート。
【図６】直並列再構成指示のフローチャート。
【図７】温度計を部分的に省略した太陽光発電システムの構成図。
【図８】計測兼構成切替装置内の切替え状態図。
【図９】太陽光発電システムの直並列切替え状態図。
【図１０】太陽光発電システムの直並列切替え状態図。
【図１１】太陽光発電システムの直並列構成図。
【発明を実施するための形態】
【００１５】
本発明は、太陽光発電システムにおける太陽光発電モジュールの直並列組合わせを決定するとき、計測された電圧・電流及び温度に基づいて直並列組合せ構成を変更することで、常に発電電力の最大化を可能としたもので、以下図に基づいて説明する。
【実施例１】
【００１６】
図１は、本発明の実施例を示す太陽光発電システムの概略構成図を示したものである。１０１はそれぞれ複数の太陽電池セルからなる太陽光発電モジュールで、
各太陽光発電モジュール１０１には計測兼構成切替装置１０２が接続されている。計測兼構成切替装置１０２は、複数台を太線で示した電力線１０６を介してまとめてパワーコンディショナ１０４に接続されており、それぞれは、接続された太陽光発電モジュール１０１の電圧・電流などのモニタリング機能を有すると共に、太陽光発電システムの直並列の接続構成を再構成する機能を有している。
【００１７】
１０３は温度計で、図１では全部の太陽光発電モジュール１０１に設けられているが、図７で示すように代表（ここでは１つ）とする太陽光発電モジュール１０１の太陽電池セル裏面などに取付けられて温度のモニタリングに使用される。
すなわち、計測兼構成切替装置１０２は、例えば、特許文献１に記載のインテリジェントノードの利用が可能で、接続した太陽光発電モジュール１０１が発電する電圧・電流、および温度を計測する。
【００１８】
計測兼構成切替装置１０２は、それぞれ隣接同士間において直列接続或いは並列接続に変更されることで太陽光発電システムの再構成が可能となっており、本実施例での計測兼構成切替装置１０２は、パワーコンディショナ１０４のマイナス極側に近い計測兼構成切替装置１０２の接続が直並列切替えできるよう構成されている。すなわち、パワーコンディショナ１０４のマイナス極側に接続される計測兼構成切替装置１０２が直列接続されている。なお、プラス極側に近い計測兼構成切替装置１０２の接続を直並列切替えできるよう構成してもよいことは勿論である。
【００１９】
１０５は構成管理装置で、細線で示した通信線１０７を介して複数台の計測兼構成切替装置１０２と接続され、太陽光発電モジュール１０１が発電した電圧・電流および温度の計測値を、通信線１０７を介して取得する。そして、取得した計測値を基に太陽光発電モジュール１０１毎の日射強度を推定し、太陽光発電システムとして発電電力を最大化するよう直並列の組合わせを算出して各計測兼構成切替装置１０２に対し直並列再構成の指示を出す。
【００２０】
また、構成管理装置１０５は、パワーコンディショナ１０４とも通信線１０７により接続されており、直並列再構成の際には発電の一時停止処理指令を出力する。また、構成管理装置１０５は、パワーコンディショナ１０４のＭＰＰＴ（最大電力点追従）制御に必要な情報提供機能を有し、ＭＰＰＴ制御機能はパワーコンディショナ１０４中に内蔵若しくは別設される。なお、図１では通信線１０７をカスケード接続で表現しているが、構成管理装置１０５と各計測兼構成切替装置１０２間を直接接続してもよく、中継装置を介しての接続や、無線による通信も可能である。
【００２１】
図８は計測兼構成切替装置１０２内の切替え部材のイメージ図で、（ａ）が並列接続時、（ｂ）が直列接続時を示したものである。図９，図１０は、計測兼構成切替装置１０２が４台ユニット（計測兼構成切替装置）の場合の例で、図８で示す切替え部材を使って太陽光発電システムを直並列構成した接続図を示したものである。図９（ａ）は４ユニットの計測兼構成切替装置１０２を図面左側から直列・並列・直列・並列として構成したもので、この場合の理論的な接続は図９（ｂ）で示すように２台ユニットずつの並列接続が直列に接続された状態となる。
【００２２】
また、図面右側での計測兼構成切替装置１０２が直列に切替えられたものが図１０（ａ）で、このときの理論的な接続は図１０（ｂ）で示すように２台の並列と残りの２ユニットが直列に接続された状態となる。そうして、パワーコンディショナ１０４の正極側には接続構成された計測兼構成切替装置の正極が接続され、パワーコンディショナ１０４の負極には計測兼構成切替装置の負極がそれぞれ接続される。
【００２３】
次に、太陽光発電システムを構成するユニットに影がかかったときの直並列構成について説明する。
図１１は太陽光発電システムを１２台のユニットで構成された場合の例で、通常時は図１１（ａ）で理論的接続は図１１（ｃ）で示すように４並列が３段（Ｓ１〜Ｓ３）直列に接続された構成とする。ここで、図１１（ａ）では斜線で示すように上半分のユニットに影が差し、この部分の日射が半分になったとする。
【００２４】
太陽光発電システムの特性として、電圧はあまり変化しないが電流が半減する。このようなとき、図１１（ａ）の接続状態のままであると、影の無い段Ｓ３には４の電流がながれているとすると、半分が影の段Ｓ２では３、全部影の段Ｓ１では２の電流が流れる。しかし、物理法則によってどの段も同じ電流が流れなければならないため、実際には全体に２程度の電流しか流れず発電量は影の無いときに比較して半減する。図１１（ｃ）は図１１（ａ）の理論的接続図を示す。
【００２５】
そこで、影が発生した場合、図１１（ｂ）で示すように○印を付した計測兼構成切替装置の切替え部材を直列→並列に、又は並列→直列に切替えて直並列構成を変更して図１１（ｄ）で示す理論的接続にすると、何れの段にも３の電流を流すことができる。したがって、影の無いときと比べて３／４の発電が可能となる。この発電量は影による日射量の減少に相当するものであり、実質的に発電の効率を落とさずに運用でき、不均等な影による日射量の減少以上に発電電量の減少することを緩和てきる。
【００２６】
本発明は、上記のように構成される太陽光発電システムの直並列組合わせの算出方法に関するものである。以下図に基づいて具体的に説明する。
構成管理装置１０５は一定時間毎に各計測兼構成切替装置１０２からデータを収集して直並列組合わせを決定し、計測兼構成切替装置１０２に対して直並列再構成の指示を行う。その流れを示したものが図２である。
【００２７】
図２のフローチャートにおいて、ステップ２０１で一定周期毎に各計測兼構成切替装置１０２の計測データを収集する。２０１でのデータ収集は、図３で示すフローチャートのように、ステップ３０１で計測兼構成切替装置１０２毎に順次データ収集を指示し、各計測兼構成切替装置１０２が計測している太陽光発電モジュール１０１の現在発電している電圧・電流値を取得（３０２）し、また、接続されている温度計による太陽電池セル温度を取得（３０３）する。ステップ３０４では、これを計測兼構成切替装置毎に反復処理を行う。
【００２８】
図２において、ステップ２０２では、収集された計測データに基づいて日射強度を推定し、この推定に基づいて直並列組合わせを決定（２０３）し、２０４では組合わせ決定結果により構成変更を行うか否かの判定を行う。構成変更となった場合には２０５で直並列再構成指示を出力する。
【００２９】
ステップ２０２の日射強度推定は、図４で示すフローチャートのように行われる。すなわち、計測兼構成切替装置毎に、太陽光発電モジュールが現在発電している電圧・電流値及び太陽電池セル温度を用いて太陽電池基本式に基づいて開放電圧（４０２）及び短絡電流（４０３）を計算する。その際の太陽光発電モジュールの特性パラメータは予め設定しておく。ステップ４０２の開放電圧推定は、定格温度における開放電圧と開放電圧の温度補正係数というパラメータ値を使って太陽電池セル温度から開放電圧を算出する。ステップ４０３の短絡電流推定では、４０２で算出した開放電圧を用い、太陽電池基本式に基づいて短絡電流を算出し、計測兼構成切替装置毎に反復処理（４０４）を行う。
【００３０】
なお、図４では日射強度推定と言いながら日射強度を求めていない。日射強度は短絡電流に略比例することから、短絡電流の温度補正を行って定格短絡電流で除することで日射強度を求めることが出来る。しかし、次の段階で必要なものは短絡電流であるので無駄な計算を省いている。
【００３１】
ステップ２０３の直並列組合わせは、図５で示すフローチャートのように行われる。予め現在の直並列組合わせを記録（５０１）してから可能な直並列組合わせ毎に（５０２）発電電力を推定（５０３）し、発電電力を最大にする組合わせを計算する。その後、最大電力の直並列組合わせが再構成ロスを考慮しても、現在の直並列組合わせより良ければ新たな直並列組合わせに決定する。ステップ５０２〜５０５は可能な直並列組合わせ毎に反復して処理することを示す。
【００３２】
５０３での発電電力の推定は、選択した直並列組合わせで発電できる電力を太陽電池基本式と直並列合成で算出する。直並列合成は太陽電池基本式で算出できるＩＶ特性関数を直列・並列の接続に合わせて電圧方向・電流方向に積算することで実施する。５０４の最大発電組合わせ記録は、５０３で算出された発電電力が、今までの直並列組合わせより大きければ更新することにより最大発電の直並列組合わせを記録する。５０６の再構成可否決定では５０１で記録された現在の最大発電の直並列組合わせと比較し、５０１で記録されたものが再構成ロスを考慮した基準を超えて最大発電の直並列組合わせが良ければ記録はそのままとし、そうでなければ今までの組合せを新たな最大発電の直並列組合わせとして決定する。この判断はステップ２０４で行って、２０５で直並列再構成指示を出力する。
【００３３】
図６は、２０５での直並列再構成指示のフローチャートを示したもので、予め発電を一時停止してから、各計測兼構成切替装置１０２に直並列変更を指示して行き、直並列構成を更新してから発電を再開する。ステップ６０１ではパワーコンディショナ１０４に指示して発電を一時停止する。６０２〜６０５は計測兼構成切替装置１０２毎に反復して処理する。６０３では各計測兼構成切替装置１０２が直並列構成を更新すべきか否かを判断し、変更すべきと判断したときには６０４で計測兼構成切替装置１０２に指示して直並列構成を更新する。全ての直並列構成が更新されたら、６０６でパワーコンディショナ１０４に指示して発電を再開する。パワーコンディショナ１０４は新しい直並列組合わせに基づいてＭＰＰＴ制御を行い発電を制御する。
【実施例２】
【００３４】
実施例１では、直並列組合わせ決定には、可能な直並列組合わせ毎に図５で示すように発電電力を推定している。開放電圧は大きく変わらないこと、最大発電電力は一般には短絡電流の一定割合で近似てきることを考慮すると、太陽光発電モジュール１０１の短絡電流を並列接続の度に合計した値の最小値をなるべく大きくすれば発電電力も大きくなりそうなことが分る。
【００３５】
そこで、実施例２は図５で示す発電電力推定を、短絡電流の並列合計の最小値の計算に置き換えることで、直並列組合わせ決定の簡略化を図ってより高速化するものである。
したがって、この実施例によれば、直並列組合わせ決定をより高速に可能となるものである。
【実施例３】
【００３６】
この実施例は、ＭＰＰＴ制御に直並列組合わせ決定情報を利用して再構成時の電力ロスを大きく減らすものである。直並列再構成時には、パワーコンディショナ１０４は新しい直並列構成に対してＭＰＰＴ制御を実施するが、構成管理装置１０５が直並列組合わせ決定する際には新しい直並列構成におけるＩＶ特性関数を計算しており、これにより最大電力点も分っている。この最大電力点電力情報を構成管理装置１０５からパワーコンディショナ１０４に送り、パワーコンディショナ１０４ではこの最大電力点近傍の局所最大点の探索を行う。
【００３７】
これによって、パワーコンディショナ１０４によるＭＰＰＴ制御を迅速に実施でき、再構成時の電力ロスを大きく減らすことが可能となる。
したがって、この実施例によれば、直並列再構成時でのＭＰＰＴ制御の高速化が可能となるものである。
【実施例４】
【００３８】
この実施例は、直並列組合わせ決定のＭＰＰＴ制御時への情報利用を行うことで、パワーコンディショナ１０４によるＭＰＰＴ制御の迅速化、及び再構成時の電力ロスを減らすものである。
実施例２に基づいて直並列組合わせ決定を簡略計算で行った場合、実施例２では新しい直並列構成におけるＩＶ特性関数を計算していないため、そのままの状態では実施例３のようにＭＰＰＴ制御に利用することができない。
【００３９】
しかしながら、実施例２においても、実施例１と同様に太陽光発電モジュール１０１の開放電圧・短絡情報は存在するので、直並列組合わせが決定されてからその直並列組合わせでのＩＶ特性関数や最大電力点の計算は可能である。計算された最大電力点情報を構成管理装置１０５からパワーコンディショナ１０４に送り、パワーコンディショナ１０４ではこの最大電力点近傍の局所最大点の探索のみを行う。これによって、パワーコンディショナ１０４によるＭＰＰＴ制御を迅速に実施でき、再構成時の電力ロスを大きく減らすことが可能となる。
したがって、この実施例にも、実施例３と同様に直並列再構成時でのＭＰＰＴ制御の高速化が可能となるものである。
【実施例５】
【００４０】
図７で示すように、温度計１０３が一部の太陽光発電モジュール１０１にのみ取付けられた場合、太陽光発電モジュール１０１毎の太陽電池セル温度は不明となる。この場合、太陽光発電モジュール１０１毎の温度差はそれほど大きくないと仮定して、計測している太陽電池セル温度、若しくは太陽電池セル温度の平均値を太陽光発電システムの全ての太陽光発電モジュールの温度の代用値とする。
したがって、この実施例によれば、必要とする温度計の数を少なくすることが可能となるものである。
【符号の説明】
【００４１】
１０１…  太陽光発電モジュール
１０２…  計測兼構成切替装置
１０３…  温度計
１０４…  パワーコンディショナ
１０５…  構成管理装置
１０６…  電力線
１０７…  通信線
【図１】
2015012116.tif 000003
【図２】
2015012116.tif 000004
【図３】
2015012116.tif 000005
【図４】
2015012116.tif 000006
【図５】
2015012116.tif 000007
【図６】
2015012116.tif 000008
【図７】
2015012116.tif 000009
【図８】
2015012116.tif 000010
【図９】
2015012116.tif 000011
【図１０】
2015012116.tif 000012
【図１１】
2015012116.tif 000013